(57)【要約】【課題】  移動通信システムの携帯端末機がローミング領域でＧＰＲＳのようなデータ通信サービスを要請するとき伝送される拒絶データを未決定（Ｐｅｎｄｉｎｇ）状態に記録することで、ローミング領域からホーム領域に移動すると直ちに、データ通信サービスの提供を受けることができる移動通信システムのデータ通信サービスを運営する方法を提供しようとする。【解決手段】  該携帯端末機は、前記伝送された拒絶データを未決定状態に設定する段階と、前記拒絶データが未決定状態に設定された携帯端末機が前記第１移動交換局のホーム領域で前記データ通信サービスを要請するとき、前記未決定状態に設定された拒絶データに基づいて前記データ通信サービスを提供する段階と、を順次行うことで、データ通信サービスを運営する。【選択図】図１
2004201307.tif 000002
【特許請求の範囲】
【請求項１】
第１移動交換局（Ｍｏｂｉｌｅ  Ｓｗｉｔｃｈｉｎｇ  Ｃｅｎｔｅｒ；ＭＳＣ）に登録された携帯端末機（Ｕｓｅｒ  Ｅｑｕｉｐｍｅｎｔ；ＵＥ）が第２移動交換局のローミング領域（Ｒｏａｍｉｎｇ  Ａｒｅａ）でデータ通信サービスを要請するとき、前記データ通信サービスを拒絶するための拒絶データを前記携帯端末機に伝送し、該携帯端末機は、前記伝送された拒絶データを未決定（Ｐｅｎｄｉｎｇ）状態に設定する段階と、
前記拒絶データが未決定状態に設定された携帯端末機が前記第１移動交換局のホーム領域（Ｈｏｍｅ  Ａｒｅａ）で前記データ通信サービスを要請するとき、前記未決定状態に設定された拒絶データに基づいて前記データ通信サービスを提供する段階と、
を順次行うことを特徴とする移動通信システムのデータ通信サービスを運営する方法。
【請求項２】
前記データ通信サービスは、
移動通信システムから提供されるＧＰＲＳ（Ｇｅｎｅｒａｌ  Ｐａｃｋｅｔ  Ｒａｄｉｏ  Ｓｅｒｖｉｃｅ）であることを特徴とする請求項１に記載の移動通信システムのデータ通信サービスを運営する方法。
【請求項３】
前記データ通信サービスを提供する段階は、
前記拒絶データが未決定状態に記録された携帯端末機が前記第１移動交換局のホーム領域に移動したとき、前記携帯端末機が前記１移動交換局に以前に登録されたかを判断する段階と、
前記携帯端末機が前記１移動交換局に以前に登録されたとき、前記データ通信サービスを前記携帯端末機に提供する段階と、
からなることを特徴とする請求項１に記載の移動通信システムのデータ通信サービスを運営する方法。
【請求項４】
前記第１移動交換局のホーム領域に位置する前記拒絶データが未決定状態に記録された携帯端末機が、前記第１移動交換局に登録されていないとき、前記データ通信サービスを拒絶する段階を更に包含することを特徴とする請求項３に記載の移動通信システムのデータ通信サービスを運営する方法。
【請求項５】
前記拒絶データが前記携帯端末機に設定されていないとき、前記データ通信サービスを前記携帯端末機に提供する段階を更に包含することを特徴とする請求項１に記載の移動通信システムのデータ通信サービスを運営する方法。
【請求項６】
前記拒絶データは、
前記携帯端末機のメモリに未決定信号として格納されることを特徴とする請求項１に記載の移動通信システムのデータ通信サービスを運営する方法。
【請求項７】
携帯端末機がデータ通信サービスを要請するかをリアルタイムに判断する段階と、
前記携帯端末機が前記データ通信サービスを該携帯端末機が登録された第１移動交換局のホーム領域で要請するかを判断する段階と、
前記携帯端末機が前記ホーム領域で前記データ通信サービスを要請するとき、拒絶データが前記携帯端末機に未決定状態に設定されたかを判断する段階と、
前記携帯端末機に前記拒絶データが設定されていないとき、前記携帯端末機にデータ通信サービスを提供した後、前記データ通信サービスの要請をリアルタイムに判断する段階に復帰する段階と、
前記携帯端末機に前記拒絶データが未決定状態に設定されたとき、前記拒絶データが未決定状態に設定された携帯端末機が前記第１移動交換局に登録されたかを判断する段階と、
前記拒絶データが未決定状態に設定された携帯端末機が前記第１移動交換局に登録されたとき、前記拒絶データが未決定状態に設定された携帯端末機に前記データ通信サービスを提供する段階と、
前記拒絶データが未決定状態に設定された携帯端末機が前記第１移動交換局に登録されていないとき、前記データ通信サービスを拒絶した後、前記データ通信サービスの要請をリアルタイムに判断する段階に復帰する段階と、
前記第１移動交換局に登録された携帯端末機が第２移動交換局のローミング領域で前記データ通信サービスを要請するとき、前記データ通信サービスを拒絶するための拒絶データを前記携帯端末機に伝送する段階と、
前記携帯端末機が前記伝送された拒絶データを未決定状態に設定し、その設定された情報を該携帯端末機のメモリに格納した後、前記データ通信サービスの要請をリアルタイムに判断する段階に復帰する段階と、
を順次行うことを特徴とするＧＳＭシステムのデータ通信サービスを運営する方法。
【請求項８】
前記データ通信サービスは、
ＧＳＭシステムから提供されるＧＰＲＳであることを特徴とする請求項７に記載のＧＳＭシステムのデータ通信サービスを運営する方法。
【発明の詳細な説明】
【技術分野】
【０００１】
本発明は、移動通信システムに係るもので、詳しくは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）システムから提供されるデータ通信サービス（ｄａｔａ  ｃｏｍｍｕｎｉｃａｔｉｏｎ  ｓｅｒｖｉｃｅ）を運営する方法に関するものである。
【背景技術】
【０００２】
一般に、前記ＧＳＭシステムは、限定された周波数資源を時分割多重接続（Ｔｉｍｅ  Ｄｉｖｉｓｉｏｎ  Ｍｕｌｔｉｐｌｅ  Ａｃｃｅｓｓ、ＴＤＭＡ）方式により運営し、複数の加入者（Ｓｕｂｓｃｒｉｂｅｒ）または携帯端末機（Ｈａｎｄｈｅｌｄ  Ｔｅｒｍｉｎａｌ）（Ｕｓｅｒ  Ｅｑｕｉｐｍｅｎｔ、ＵＥ）が同時に該当のチャンネルを占有して移動しながら通信し得るようにするデジタルシステムであって、ヨーロッパ（Ｅｕｒｏｐｅ）地域の移動通信システムの標準方式である。
【０００３】
ヨーロッパでは全て前記ＧＳＭシステムを使用するため、ヨーロッパの全ての国が同様な携帯端末機（ＵＥ）を利用し、ローミングサービス（Ｒｏａｍｉｎｇ  Ｓｅｒｖｉｃｅ）により、ヨーロッパの全ての国で、既存に使用していた携帯端末機（ＵＥ）を利用することで移動通信サービスの提供を受けることができる。且つ、加入者の移動通信電話番号を包含する身上情報が記録されたユーザ認証モジュール（Ｓｕｂｓｃｒｉｂｅｒ  Ｉｄｅｎｔｉｔｙ  Ｍｏｄｕｌｅ、以下、ＳＩＭと略称す）を携帯し、ヨーロッパの特定国で携帯端末機（ＵＥ）を賃貸し、該賃貸した携帯端末機（ＵＥ）に前記ＳＩＭを連結することで、直ちに音声通信サービスの提供を受けることができる。
【０００４】
前記ヨーロッパのＧＳＭシステムから提供されるデータ通信サービスをＧＰＲＳ（Ｇｅｎｅｒａｌ  Ｐａｃｋｅｔ  Ｒａｄｉｏ  Ｓｅｒｖｉｃｅ）といい、携帯端末機（ＵＥ）が登録された該当の移動通信システムのサービス地域（Ｓｅｒｖｉｃｅ  Ａｒｅａ）であるホーム領域（Ｈｏｍｅ  Ａｒｅａ）のみで、前記データ通信サービス（ＧＰＲＳ）の提供を受けることができる。即ち、前記携帯端末機（ＵＥ）が登録されていない移動通信システムのサービス地域であるローミング領域（Ｒｏａｍｉｎｇ  Ａｒｅａ）では、前記データ通信サービス（ＧＰＲＳ）の提供を受けることができない。前記ＧＳＭ及びＧＰＲＳに関する説明は、米国特許登録番号”６，２０８，６２８”及び”６，４８０，７１７”にも記載されている。ここで、前記ホーム領域は、前記携帯端末機が登録された第１移動交換局（ＧＳＭシステム）のサービス領域をいい、前記ローミング領域は、前記携帯端末機が登録されていない第２移動交換局（ＧＳＭシステム）のサービス領域をいう。
【発明の開示】
【発明が解決しようとする課題】
【０００５】
然るに、このような従来のＧＳＭシステムのデータ通信サービスを運営する方法においては、前記ＧＳＭ方式の携帯端末機（ＵＥ）を利用して、ローミング領域で移動通信サービスを要請する場合、ローミングサービスにより音声通信は可能であるが、前記ＧＰＲＳのようなデータ通信サービスは提供せずに、該ＧＰＲＳの要請を拒絶するための拒絶（Ｒｅｊｅｃｔ）データを前記携帯端末機に伝送し、該伝送された拒絶データが前記携帯端末機のメモリ領域に記録及び格納されるようになっているため、ホーム領域でも前記データ通信サービス（ＧＰＲＳ）の提供を受けることができないという不都合な点があった。即ち、前記拒絶データ（例えば、”ＧＰＲＳ  Ｓｅｒｖｉｃｅ  Ｎｏｔ  Ａｌｌｏｗｅｄ”）が記録された携帯端末機がホーム領域で前記ＧＰＲＳを要請するとき、前記ホーム領域の第１移動交換局（ＧＳＭシステム）は、前記携帯端末機に記録された拒絶データに基づいて前記ＧＰＲＳの要請を拒絶するという不都合な点があった。
【０００６】
また、従来は、前記ローミング領域でデータ通信サービス（ＧＰＲＳ）の要請を拒絶するための拒絶データ（例えば、”ＧＰＲＳ  Ｓｅｒｖｉｃｅ  Ｎｏｔ  Ａｌｌｏｗｅｄ”）が記録された携帯端末機が、ホーム領域で前記データ通信サービス（ＧＰＲＳ）の提供を受けるためには、前記拒絶データを削除しなければならないという不都合な点があった。即ち、専門サービス要員の支援を受けて携帯端末機のメモリに記録された拒絶データを削除するか、または前記ＧＳＭ方式の携帯端末機の電源を一時的にオフ（ＯＦＦ）してから再びオン（ＯＮ）して前記拒絶データを削除しなければならないという不都合な点があった。従って、従来のＧＳＭシステムのデータ通信サービスを運営する方法においては、ユーザに不便を与え、ＧＳＭシステムの信頼度を低下させるという不都合な点があった。
【０００７】
本発明は、このような従来の課題に鑑みてなされたもので、移動通信システムの携帯端末機がローミング領域でＧＰＲＳのようなデータ通信サービスを要請するとき伝送される拒絶データを未決定（Ｐｅｎｄｉｎｇ）状態に記録することで、ローミング領域からホーム領域に移動すると直ちに、データ通信サービスの提供を受けることができる移動通信システムのデータ通信サービスを運営する方法を提供することを目的とする。
【課題を解決するための手段】
【０００８】
このような目的を達成するため、本発明に係る移動通信システムのデータ通信サービスを運営する方法においては、第１移動交換局（Ｍｏｂｉｌｅ  Ｓｗｉｔｃｈｉｎｇ  Ｃｅｎｔｅｒ；ＭＳＣ）に登録された携帯端末機（Ｕｓｅｒ  Ｅｑｕｉｐｍｅｎｔ；ＵＥ）が第２移動交換局のローミング領域でデータ通信サービスを要請するとき、前記データ通信サービスを拒絶するための拒絶データを前記携帯端末機に伝送し、該携帯端末機は、前記伝送された拒絶データを未決定状態に設定する段階と、前記拒絶データが未決定状態に設定された携帯端末機が前記第１移動交換局のホーム領域で前記データ通信サービスを要請するとき、前記未決定状態に設定された拒絶データに基づいて前記データ通信サービスを提供する段階と、を順次行うことを特徴とする。
【０００９】
また、本発明に係るＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）システムのデータ通信サービスを運営する方法においては、携帯端末機がデータ通信サービスを要請するかをリアルタイムに判断する段階と、前記携帯端末機が前記データ通信サービスを該携帯端末機が登録された第１移動交換局のホーム領域で要請するかを判断する段階と、前記携帯端末機が前記ホーム領域で前記データ通信サービスを要請するとき、拒絶データが前記携帯端末機に未決定状態に設定されたかを判断する段階と、前記携帯端末機に前記拒絶データが設定されていないとき、前記携帯端末機にデータ通信サービスを提供した後、前記データ通信サービスの要請をリアルタイムに判断する段階に復帰する段階と、前記携帯端末機に前記拒絶データが未決定状態に設定されたとき、前記拒絶データが未決定状態に設定された携帯端末機が前記第１移動交換局に登録されたかを判断する段階と、前記拒絶データが未決定状態に設定された携帯端末機が前記第１移動交換局に登録されたとき、前記拒絶データが未決定状態に設定された携帯端末機に前記データ通信サービスを提供する段階と、前記拒絶データが未決定状態に設定された携帯端末機が前記第１移動交換局に登録されていないとき、前記データ通信サービスを拒絶した後、前記データ通信サービスの要請をリアルタイムに判断する段階に復帰する段階と、前記第１移動交換局に登録された携帯端末機が第２移動交換局のローミング領域で前記データ通信サービスを要請するとき、前記データ通信サービスを拒絶するための拒絶データを前記携帯端末機に伝送する段階と、前記携帯端末機が前記伝送された拒絶データを未決定（Ｐｅｎｄｉｎｇ）状態に設定し、その設定された情報を該携帯端末機のメモリに格納した後、前記データ通信サービスの要請をリアルタイムに判断する段階に復帰する段階と、を順次行うことを特徴とする。
【００１０】
移動通信システムのデータ通信サービスを運営する方法は、第１移動交換局（Ｍｏｂｉｌｅ  Ｓｗｉｔｃｈｉｎｇ  Ｃｅｎｔｅｒ；ＭＳＣ）に登録された携帯端末機（Ｕｓｅｒ  Ｅｑｕｉｐｍｅｎｔ；ＵＥ）が第２移動交換局のローミング領域（Ｒｏａｍｉｎｇ  Ａｒｅａ）でデータ通信サービスを要請するとき、前記データ通信サービスを拒絶するための拒絶データを前記携帯端末機に伝送し、該携帯端末機は、前記伝送された拒絶データを未決定（Ｐｅｎｄｉｎｇ）状態に設定する段階と、前記拒絶データが未決定状態に設定された携帯端末機が前記第１移動交換局のホーム領域（Ｈｏｍｅ  Ａｒｅａ）で前記データ通信サービスを要請するとき、前記未決定状態に設定された拒絶データに基づいて前記データ通信サービスを提供する段階とを順次行うことを特徴とし、それにより上記目的が達成される。
【００１１】
前記データ通信サービスは、移動通信システムから提供されるＧＰＲＳ（Ｇｅｎｅｒａｌ  Ｐａｃｋｅｔ  Ｒａｄｉｏ  Ｓｅｒｖｉｃｅ）であることを特徴としてもよい。
【００１２】
前記データ通信サービスを提供する段階は、前記拒絶データが未決定状態に記録された携帯端末機が前記第１移動交換局のホーム領域に移動したとき、前記携帯端末機が前記１移動交換局に以前に登録されたかを判断する段階と、前記携帯端末機が前記１移動交換局に以前に登録されたとき、前記データ通信サービスを前記携帯端末機に提供する段階とからなることを特徴としてもよい。
【００１３】
前記第１移動交換局のホーム領域に位置する前記拒絶データが未決定状態に記録された携帯端末機が、前記第１移動交換局に登録されていないとき、前記データ通信サービスを拒絶する段階を更に包含することを特徴としてもよい。
【００１４】
前記拒絶データが前記携帯端末機に設定されていないとき、前記データ通信サービスを前記携帯端末機に提供する段階を更に包含することを特徴としてもよい。
【００１５】
前記拒絶データは、前記携帯端末機のメモリに未決定信号として格納されることを特徴としてもよい。
【００１６】
本発明による、ＧＳＭシステムのデータ通信サービスを運営する方法ＧＳＭシステムのデータ通信サービスを運営する方法は、携帯端末機がデータ通信サービスを要請するかをリアルタイムに判断する段階と、前記携帯端末機が前記データ通信サービスを該携帯端末機が登録された第１移動交換局のホーム領域で要請するかを判断する段階と、前記携帯端末機が前記ホーム領域で前記データ通信サービスを要請するとき、拒絶データが前記携帯端末機に未決定状態に設定されたかを判断する段階と、前記携帯端末機に前記拒絶データが設定されていないとき、前記携帯端末機にデータ通信サービスを提供した後、前記データ通信サービスの要請をリアルタイムに判断する段階に復帰する段階と、前記携帯端末機に前記拒絶データが未決定状態に設定されたとき、前記拒絶データが未決定状態に設定された携帯端末機が前記第１移動交換局に登録されたかを判断する段階と、前記拒絶データが未決定状態に設定された携帯端末機が前記第１移動交換局に登録されたとき、前記拒絶データが未決定状態に設定された携帯端末機に前記データ通信サービスを提供する段階と、前記拒絶データが未決定状態に設定された携帯端末機が前記第１移動交換局に登録されていないとき、前記データ通信サービスを拒絶した後、前記データ通信サービスの要請をリアルタイムに判断する段階に復帰する段階と、前記第１移動交換局に登録された携帯端末機が第２移動交換局のローミング領域で前記データ通信サービスを要請するとき、前記データ通信サービスを拒絶するための拒絶データを前記携帯端末機に伝送する段階と、前記携帯端末機が前記伝送された拒絶データを未決定状態に設定し、その設定された情報を該携帯端末機のメモリに格納した後、前記データ通信サービスの要請をリアルタイムに判断する段階に復帰する段階とを順次行うことを特徴とし、それにより上記目的が達成される。
【００１７】
前記データ通信サービスは、ＧＳＭシステムから提供されるＧＰＲＳであることを特徴としてもよい。
【発明の効果】
【００１８】
以上説明したように、本発明に係る移動通信システムのデータ通信サービスを運営する方法においては、ＧＳＭシステムのローミング領域で携帯端末機がデータ通信サービスを要請するとき、伝送される拒絶データを未決定信号として記録し、ホーム領域で該未決定信号に基づいてデータ通信サービスを直ちに提供することで、ユーザが容易に前記データ通信サービスの提供を受けることができると共に、ＧＳＭシステムの信頼度を向上し得るという効果がある。
【００１９】
また、本発明は、ローミング領域で拒絶データを受信してからホーム領域に復帰するとき、携帯端末機の電源をオン／オフせずして直ちに、前記データ通信サービスの提供を受けることができるという効果がある。
【発明を実施するための最良の形態】
【００２０】
以下、ホーム領域のＧＳＭシステムに登録された携帯端末機がローミング領域でＧＰＲＳ（Ｇｅｎｅｒａｌ  Ｐａｃｋｅｔ  Ｒａｄｉｏ  Ｓｅｒｖｉｃｅ）のようなデータ通信サービスを要請するとき、前記ローミング領域のＧＳＭシステムから受信される拒絶データを未決定（Ｐｅｎｄｉｎｇ）状態に設定し、前記ホーム領域のＧＳＭシステムに登録された携帯端末機が前記ホーム領域に進入すると直ちに、前記携帯端末機に記録された未決定に設定された拒絶データに基づいて前記携帯端末機にデータ通信サービスを提供することで、ユーザが容易に前記データ通信サービスの提供を受け得ると共に、ＧＳＭシステムの信頼度を向上し得るＧＳＭシステムのデータ通信サービスを運営する方法の好ましい実施形態に対し、図１〜図２に基づいて説明する。ここで、”前記拒絶データを未決定状態に設定する”ということは、”前記拒絶データを受信し、前記携帯端末機のネットワーク状態を”ＧＰＲＳ  Ｐｅｎｄｉｎｇ  Ｒｏａｍｉｎｇ  Ｎｅｔｗｏｒｋ”状態に変更する”ということである。
【００２１】
図１は、本発明が適用されたＧＳＭシステム（Ｇｌｏｂａｌ  Ｓｙｓｔｅｍ  ｆｏｒ  Ｍｏｂｉｌｅ  Ｃｏｍｍｕｎｉｃａｔｉｏｎ）の構成を示した説明図で、図示されたように、本発明に係るデータ通信サービスを運営する方法が適用されたＧＳＭシステムにおいては、該当の携帯端末機１０を登録し、複数の基地局（Ｂａｓｅ  Ｅａｒｔｈ  Ｓｔａｔｉｏｎ、ＢＳ）３０を通して前記登録された携帯端末機に移動通信サービス（音声通信サービス及びデータ通信サービス）を提供する第１移動交換局（Ｍｏｂｉｌｅ  Ｓｗｉｔｃｈｉｎｇ  Ｃｅｎｔｅｒ、ＭＳＣ）２０と、該第１移動交換局（ＧＳＭシステム）２０に登録され、該第１移動交換局２０のホーム領域を移動しながら、いつどこでも無線音声通信及び無線データ通信を行い、移動通信電話番号及び加入者の身上情報などが記録されたユーザ認証モジュール（Ｓｕｂｓｃｒｉｂｅｒ  Ｉｄｅｎｔｉｔｙ  Ｍｏｄｕｌｅ、以下、ＳＩＭと略称す）を有する携帯端末機（ＵＥ）１０と、前記第１移動交換局２０に登録された携帯端末機１０がローミング領域に進入するとき、複数の基地局（Ｂａｓｅ  Ｓｔａｔｉｏｎ）５０を通して音声通信サービスを提供する第２移動交換局４０と、を包含して構成され、ここで、前記第１移動交換局２０に登録された携帯端末機１０がローミング領域で前記第２移動交換局４０にデータ通信サービスを要請するとき、前記ローミング領域の前記第２移動交換局４０から受信される拒絶データを未決定状態に設定し、前記第１移動交換局２０に登録された携帯端末機１０が前記ホーム領域に進入すると直ちに、前記携帯端末機１０に未決定に設定された拒絶データに基づいて前記携帯端末機１０にデータ通信サービスを提供する。ここで、前記データ通信サービスとは、ＧＳＭシステムから提供されるＧＰＲＳ（Ｇｅｎｅｒａｌ  Ｐａｃｋｅｔ  Ｒａｄｉｏ  Ｓｅｒｖｉｃｅ）をいう。
【００２２】
以下、このように構成されたＧＳＭシステムの動作に対し、図１に基づいて説明する。
【００２３】
まず、前記第１移動交換局２０は、複数の基地局３０を直接監視及び制御する。前記各基地局３０は、前記第１移動交換局２０に登録された携帯端末機１０に移動通信サービスを提供するための複数のホーム領域３０−１を形成する。前記移動通信サービスは、音声通信サービス及びデータ通信サービスを包含する。
【００２４】
前記携帯端末機１０は、前記第１移動交換局２０に加入及び登録され、該第１移動交換局２０のサービス領域であるホーム領域（Ｈｏｍｅ  Ａｒｅａ）３０−１で前記移動通信サービスの提供を受ける。
【００２５】
以後、前記携帯端末機１０が、前記第２移動交換局４０の複数の基地局５０により形成されたローミング領域（Ｒｏａｍｉｎｇ  Ａｒｅａ）５０−１に移動して、前記第２移動交換局４０に移動通信サービスを要請するとき、該第２移動交換局４０は、前記基地局５０を通して前記音声通信サービスのみを提供する。ここで、前記第１移動交換局２０及び第２移動交換局４０は同様なＧＳＭシステムで、相互別途の契約によって、相手のシステムに登録された加入者が自分のシステムのサービス領域でも音声通信サービスを利用し得るローミングサービス（Ｒｏａｍｉｎｇ  Ｓｅｒｖｉｃｅ）を提供する。また、前記ＧＳＭ方式の携帯端末機１０には、加入者またはユーザを区分するための１５桁の移動通信電話番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）、加入者の身上明細及び決済口座番号などが記録されたＳＩＭが連結される。
【００２６】
例えば、前記第１移動交換局２０に加入されたＧＳＭ方式の携帯端末機１０のユーザがホーム領域３０−１で移動通信サービスの提供を受けているとき、前記第２移動交換局４０のサービス領域であるローミング領域５０−１に移動する場合も、音声通信サービスの提供を受けることができる。前記第１移動交換局２０及び第２移動交換局４０は、ローミングサービスを利用しようとする携帯端末機１０のユーザが以前に登録されたユーザであるかを確認するため、前記携帯端末機１０に関する登録情報が記録されたデータベース（図示せず）を相互共有する。
【００２７】
よって、前記第１移動交換局２０に登録された携帯端末機１０は、ホーム領域３０−１では、選択仕様（Ｏｐｔｉｏｎ）によって音声通信サービス及びデータ通信サービス（ＧＰＲＳ）の提供を受けることができるが、前記ローミング領域５０−１では、音声通信サービスのみが提供される。即ち、前記第１移動交換局２０と第２移動交換局４０間の協定により、前記携帯端末機（ＵＥ）１０は、ローミング領域で音声通信サービスの提供を受けることができるが、データ通信サービスの提供は受けることができず、拒絶データの伝送を受けることになる。
【００２８】
その後、前記携帯端末機（ＵＥ）１０は、ローミング領域でデータ通信サービス（ＧＰＲＳ）の要請を拒絶するための拒絶データが受信されると、該受信された拒絶データを未決定信号として記録する。即ち、ＧＳＭシステムのローミング領域でデータ通信サービスの要請を拒絶するための拒絶データが受信されるとき、該拒絶データを未決定信号に変換して記録することで、ローミング領域で拒絶データを受信してからホーム領域に復帰する場合も、直ちにホーム領域の第１移動交換局（ＧＳＭシステム）２０からデータ通信サービス（ＧＰＲＳ）の提供を受けることができるし、別途に前記携帯端末機（ＵＥ）１０の電源をオン／オフせずして直ちに、前記データ通信サービス（ＧＰＲＳ）の提供を受けることができる。
【００２９】
以下、前記ローミング領域で拒絶データを受信してからホーム領域に復帰すると直ちに、前記データ通信サービスの提供を受けることができるＧＳＭシステムのデータ通信サービス（ＧＰＲＳ）を運営する方法に対し、図２に基づいて説明する。
【００３０】
図２は、本発明に係るＧＳＭシステムのＧＰＲＳを運営する方法を示した順序図で、図示されたように、本発明に係るＧＳＭシステムのデータ通信サービス（ＧＰＲＳ）を運営する方法においては、前記携帯端末機１０がデータ通信サービス（ＧＰＲＳ）を要請するかをリアルタイムに判断する段階（Ｓ１１０）と、前記携帯端末機１０が前記データ通信サービス（ＧＰＲＳ）を該携帯端末機１０が登録された第１移動交換局（ＧＳＭシステム）のホーム領域で要請するかを判断する段階（Ｓ１２０）と、前記携帯端末機１０が前記ホーム領域で前記データ通信サービス（ＧＰＲＳ）を要請するとき、拒絶データ（例えば、”ＧＰＲＳ  Ｓｅｒｖｉｃｅ  Ｎｏｔ  Ａｌｌｏｗｅｄ”）が前記携帯端末機１０に未決定状態に設定されたかを判断する段階（Ｓ１５０）と、前記携帯端末機１０に前記拒絶データが設定されていないとき、前記携帯端末機１０にデータ通信サービス（ＧＰＲＳ）を提供する段階（Ｓ１６０）と、前記携帯端末機１０に前記拒絶データが未決定状態に設定されたとき、前記拒絶データが未決定状態に設定された携帯端末機１０が前記第１移動交換局に以前に登録されたかを判断する段階（Ｓ１７０）と、前記拒絶データが未決定状態に設定された携帯端末機１０が前記第１移動交換局に登録されたとき、前記拒絶データが未決定状態に設定された携帯端末機１０に前記データ通信サービスを提供する段階（Ｓ１６０）と、前記拒絶データが未決定状態に設定された携帯端末機１０が前記第１移動交換局に登録されていないとき、前記拒絶データが未決定状態に設定された携帯端末機１０に前記データ通信サービスを提供しない段階（Ｓ１８０）と、前記第１移動交換局（ＧＳＭシステム）に登録された携帯端末機１０が第２移動交換局（ＧＳＭシステム）のローミング領域で前記データ通信サービス（ＧＰＲＳ）を要請するとき、該データ通信サービス（ＧＰＲＳ）を拒絶するための拒絶データを前記携帯端末機１０に伝送する段階（Ｓ１３０）と、前記携帯端末機１０が前記伝送された拒絶データを未決定状態に設定し、その設定された情報を該携帯端末機１０のメモリ（図示せず）に格納する段階（Ｓ１４０）と、を順次行う。
【００３１】
まず、前記第１または第２移動交換局（ＧＳＭシステム）２０、４０は、前記携帯端末機１０がデジタルデータ通信を行うため、前記データ通信サービス（ＧＰＲＳ）を要請するかを判断する（Ｓ１１０）。即ち、前記携帯端末機１０がホーム領域３０−１で前記データ通信サービス（ＧＰＲＳ）を要請するか、またはローミング領域５０−１で前記データ通信サービス（ＧＰＲＳ）を要請するかを判断する（Ｓ１２０）。ここで、前記ホーム領域は、前記携帯端末機１０が登録された第１移動交換局２０のサービス領域をいい、前記ローミング領域は、前記携帯端末機１０が登録されていない第２移動交換局４０のサービス領域をいう。
【００３２】
次いで、前記第１移動交換局２０は、前記携帯端末機１０が前記ホーム領域３０−１で前記データ通信サービス（ＧＰＲＳ）を要請するとき、前記携帯端末機１０に前記拒絶データが未決定状態に設定されたかを判断する（Ｓ１５０）。
【００３３】
その後、前記第１移動交換局２０は、前記携帯端末機１０に前記拒絶データが設定されていないとき、前記携帯端末機１０にデータ通信サービス（ＧＰＲＳ）を提供した後（Ｓ１６０）、前記段階Ｓ１１０に復帰（Ｆｅｅｄｂａｃｋ）する。反面、前記第１移動交換局２０は、前記携帯端末機１０に前記拒絶データが未決定状態に設定されたとき、前記携帯端末機１０がデータ通信サービスを受けることができるように前記携帯端末機１０が以前に登録されたかを判断する。即ち、前記第１移動交換局２０は、データベースに記録された登録情報を通して、前記携帯端末機１０が以前に登録されたかを判断する（Ｓ１７０）。
【００３４】
次いで、前記第１移動交換局２０は、前記拒絶データが未決定状態に設定された携帯端末機１０がデータ通信サービスを受けることができるように前記第１移動交換局２０のデータベースに以前に登録されたとき、前記データ通信サービスを前記携帯端末機１０に提供する。反面、前記第１移動交換局２０は、前記拒絶データが未決定状態に設定された携帯端末機１０がデータ通信サービスを受けることができるように前記第１移動交換局２０のデータベースに以前に登録されていないとき、前記データ通信サービスを拒否した後、前記過程Ｓ１１０に復帰する。
【００３５】
一方、前記第２移動交換局４０は、前記第１移動交換局２０に登録された携帯端末機１０がローミング領域でデータ通信サービスを要請するとき、前記データ通信サービス（ＧＰＲＳ）を提供し得ないという拒絶データを前記携帯端末機１０に無線伝送する。即ち、前記第２移動交換局４０は、ローミング領域に位置する携帯端末機１０が自分のデータベースに登録されていないため、前記データ通信サービス（ＧＰＲＳ）を提供し得ないという拒絶データを前記携帯端末機１０に伝送する（Ｓ１３０）。このとき、前記携帯端末機１０は、前記無線伝送された拒絶データを未決定状態に該当のメモリ領域に記録及び格納した後、前記段階Ｓ１１０に復帰する（Ｓ１４０）。
【００３６】
従って、本発明は、ホーム領域のＧＳＭシステムに登録された携帯端末機がローミング領域でデータ通信サービスを要請するとき該ローミング領域のＧＳＭシステムから受信される拒絶データを未決定状態に設定した後、前記ホーム領域のＧＳＭシステムに登録された携帯端末機が前記ホーム領域に進入すると直ちに、前記携帯端末機に未決定に設定された拒絶データに基づいて前記携帯端末機にデータ通信サービスを提供する。ここで、”前記拒絶データを未決定状態に設定する”ということは、”前記拒絶データを受信し、前記携帯端末機のネットワークの状態を”ＧＰＲＳ  Ｒｏａｍｉｎｇ  Ｎｅｔｗｏｒｋ”状態に変更する”ということである。
【００３７】
移動通信システムの携帯端末機がローミング領域（Ｒｏａｍｉｎｇ  Ａｒｅａ）でＧＰＲＳ（Ｇｅｎｅｒａｌ  Ｐａｃｋｅｔ  Ｒａｄｉｏ  Ｓｅｒｖｉｃｅ）のようなデータ通信サービスを要請するとき伝送される拒絶データを未決定（Ｐｅｎｄｉｎｇ）状態に記録することで、ローミング領域からホーム領域（Ｈｏｍｅ  Ａｒｅａ）に移動すると直ちに、データ通信サービスの提供を受けることができる移動通信システムのデータ通信サービスを運営する方法を提供しようとする。
【００３８】
第１移動交換局（Ｍｏｂｉｌｅ  Ｓｗｉｔｃｈｉｎｇ  Ｃｅｎｔｅｒ；ＭＳＣ）２０に登録された携帯端末機（Ｕｓｅｒ  Ｅｑｕｉｐｍｅｎｔ；ＵＥ）１０が第２移動交換局４０のローミング領域５０−１でデータ通信サービスを要請するとき、前記データ通信サービスを拒絶するための拒絶データを前記携帯端末機１０に伝送し、該携帯端末機１０は、前記伝送された拒絶データを未決定（Ｐｅｎｄｉｎｇ）状態に設定する段階と、前記拒絶データが未決定状態に設定された携帯端末機１０が前記第１移動交換局２０のホーム領域で前記データ通信サービスを要請するとき、前記未決定状態に設定された拒絶データに基づいて前記データ通信サービスを提供する段階と、を順次行うことで、データ通信サービスを運営する。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４０】
【図１】本発明が適用されたＧＳＭシステム（Ｇｌｏｂａｌ  Ｓｙｓｔｅｍ  ｆｏｒ  Ｍｏｂｉｌｅ  Ｃｏｍｍｕｎｉｃａｔｉｏｎ）の構成を示した説明図である。
【図２】本発明に係るＧＳＭシステムのデータ通信サービス（ＧＰＲＳ）を運営する方法を示した順序図である。
【符号の説明】
【００４１】
１０：携帯端末機
２０：第１移動交換局
３０：第１移動交換局の基地局
３０−１：ホーム領域
４０：第２移動交換局
５０：第２移動交換局の基地局
５０−１：ローミング領域
【図１】
2004201307.tif 000003
【図２】
2004201307.tif 000004